(57)【要約】      （修正有）【課題】揺動体の動きを自在としてどの方向にも自由な運動ができるようにし、さらに揺動体をベースから取り外すことができるようにして、これ単体で上肢部位の機能回復、筋力増強を行うことができる運動器具を提供する。【解決手段】揺動体４を保持する揺動支持機構Ａを、コラム２側の凹面座３と、揺動体４側の凸面座５によって構成し、あらゆる方向への運動ができるようにする。また揺動体４を取り外して、単独で運動ができるようにする。揺動体４の左右に一対の容器Ｂを配設し、これら容器Ｂに砂粒などの流動体１１を収容する。容器Ｂを含む揺動体４は、揺動支持機構Ａによって保持したときには、軽い操作で自由な方向に動かすことができ、取り外したときには、適宜の負荷をもって運動することができる。【選択図】図１
0003208534.tif 000002
【実用新案登録請求の範囲】
【請求項１】
ベースと、このベースの上方に突出して設けたコラムと、このコラムの上部に、中央部の揺動支持機構を介して配設した水平方向の揺動体と、揺動体の両端に設けた操作ハンドルとを備えた運動器具において、
上記の揺動支持機構を、前記コラムまたは揺動体の何れか一方に設けた凹面座と、コラムまたは揺動体の何れか他方に設けた凸面座によって構成し、コラムに対して揺動体を取り外しできるようにしたことを特徴とする運動器具。
【請求項２】
揺動体の両自由端付近に容器を配設し、これら容器に流動体を収容したことを特徴とする請求項１の運動器具。
【請求項３】
容器の中間位置に、流動体の移動を緩慢にする細径部を設けたことを特徴とする請求項２の運動器具。
【請求項４】
流動体が液体または粒状体であり、これら流動体に彩色を施したことを特徴とする請求項３の運動器具。
【請求項５】
流動体が球状体または多角状体であり、これら球状体または多角状体の各々に多色による彩色と識別記号を施したことを特徴とする請求項３の運動器具。
【考案の詳細な説明】
【技術分野】
【０００１】  本考案は、脳障害によって上肢の運動機能に不具合をもつ者、筋力の衰えによって動作に不具合をもつ高齢者などが効果的にリハビリトレーニングを行うことができる運動器具に関するものである。
【背景技術】
【０００２】  社会の高齢化が進み、健康維持のための日常運動や身体不自由な障害者のリハビリ運動の必要性が唱えられている。そうした中、各種の運動器具が提案されている。例えば特許文献１には、床の上に設置した操作レバーの揺動運動によって上肢の機能回復、筋力増進を行う運動器具が開示されている。
【先行技術文献】
【特許文献】
【０００３】
【特許文献１】  特開２００９−７８１１３号
【考案の概要】
【考案が解決しようとする課題】
【０００４】  従来例に挙げた運動器具は、揺動レバーが水平支軸によって保持されており、運動が上下揺動のみに限定されている。このため、反復動作を行うことによっての特定部位の機能回復、筋力増強には効果が認められるが、上肢の自由な運動を許容するものではなく、使用者が特定されてしまうという短所があった。また揺動バランスを第一に考慮したあり、軽い操作で運動ができる点は評価されるが、反面において適宜の負荷を作用しながら自由な運動を行うことができなかった。【０００５】  このため、上肢の全体を動かして機能回復、筋力増強を図りたい者にとっては不満であり、また単純な動きだけでは面白味を欠如して長期の間には飽きられてしまうという問題点も指摘された。【０００６】  本考案は、上記した点に鑑みてなされたもので、揺動体の動きを自在としてどの方向にも自由な運動ができるようにし、さらに揺動体をベースから取り外すことができるようにして、これ単体で上肢部位の機能回復、筋力増強を行うことができる運動器具を提供しようとするものである。
【課題を解決するための手段】
【０００７】  上記の課題を解決するために、本考案に係る運動器具は、ベースと、このベースの上方に突出して設けたコラムと、このコラムの上部に、中央部の揺動支持機構を介して配設した水平方向の揺動体と、揺動体の両端に設けた操作ハンドルとを備えた運動器具において、上記の揺動支持機構を、前記コラムまたは揺動体の何れか一方に設けた凹面座と、コラムまたは揺動体の何れか他方に設けた凸面座によって構成し、コラムに対して揺動体を取り外しできるようにしたことを考案の要旨とするものである。【０００８】  また本考案に係る運動器具は、請求項２において、揺動体の両自由端付近に容器を配設し、これら容器に流動体を収容したことを特徴としている。【０００９】  また本考案に係る運動器具は、請求項３において、容器の中間位置に、流動体の移動を緩慢にする細径部を設けたことを特徴としている。【００１０】  また本考案に係る運動器具は、請求項４において、流動体が液体または粒状体であり、これら流動体に彩色を施したことを特徴としている。【００１１】  また本考案に係る運動器具は、請求項５において、流動体が球状体または多角状体であり、これら球状体または多角状体の各々に多色による彩色と識別記号を施したことを特徴としている。
【考案の効果】
【００１２】  このように構成した課題解決手段によれば、揺動体がバランス支持された状態において、前後、左右及び上下のどの方向にも自在に動かすことができるので、従来にない部位の機能回復、筋力増強を行うことができる。また揺動体を取り外して単独で使用することができるので、この場合は、重量を負荷しての各種の上肢運動を効果的に行うことができる。【００１３】  また請求項２のように構成したときには、流動体の収容量によって重量を加減することができる。そして、これによって障害の度合い、筋力の強さなどに応じた適切な運動を行なうことができる。【００１４】  また請求項３のように構成したときには、流動体を移動するに当って、揺動体の振り上げ、振り下げなどの運動を伴うことができる。このため、手首、肘、肩を含めた上肢の全般的な運動を効果的に行なうことができる。【００１５】  また請求項４および請求項５のように構成したときには、彩色の変化する運動器具を得ることができる。そして、これによって視覚を通して脳へ強い刺激を与えることができるので、高齢者、機能障害者などに対し積極的に運動を促すことができる。また興味が褪せることがなく長期に亘って使用できるという効果を発揮する。
【図面の簡単な説明】
【００１６】
【図１】  本考案に係る運動用具の一実施例を示す斜視図である。
【図２】  同じく、揺動体を取り外して示す一部断面の斜視図である。
【考案を実施するための最良の形態】
【００１７】  以下、本考案に係る運動器具の一実施例を図面について説明する。図１および図２において、１は円盤状のベース  ２はベース１の中央部に突設した円柱状のコラム  ３はコラム２の上端部に設けた半球状の凹面座である。  上記のベース１、コラム２は、木質材または合成樹脂材で製作する。また上記の凹面座３は、円筒状、ドーナツ環状に構成しても良い。【００１８】  ４はコラム２の上方位置に配設した水平方向の揺動体  ５は揺動体４の中央部に設けた球状の凸面座  ６は揺動体４両端に取りつけた一対の操作ハンドルである。上記において凹面座３と、これに対応する凸面座５は揺動体４を安定支持する揺動支持機構Ａを構成する。【００１９】  ７は揺動体５における自由端付近に設けた左右一対のブロック  ８はそれぞれ（図には一方しか示してない）のブロック７に設けた貫通穴  ９，９は貫通穴８の両方の開口端にねじ接続して取りつけた透明ボトルであり、上記のボトル９，９と貫通穴８は、中間部に細径部１０を形成した密封状の容器Ｂを構成している。【００２０】  １１は容器Ｂ内に収容した砂粒などの流動体  この流動体１１の量は、実施例では容器Ｂの４０パーセント相当量であり、重量を勘案して適宜に決定する。上記の流動体１１は、砂粒の他に着色した水などの液体、小径の球状体あるいは角状体でも良い。球状体などの場合には、多色からなる彩色を施すことができ、さらに数字、アルファベット英字、記号などを記すことができる。【００２１】  本考案に係る運動器具の一実施例において、揺動体４は揺動支持機構Ａを介してベース１上に載置されており、前後、左右及び上下のどの方向にも自在に動かすことができる。このため、軽い操作での上肢運動を全般的に行なうことができる。また揺動体４を持ち上げるだけでベース１から簡単に取り外すことができる。この場合は、単独での使用ができ、重量を負荷しての上肢運動を行うことができる。【００２２】  また透明ボトル９は取り外すことができるので、容器Ｂ内の流動体１１の収容量を加減すれば、重さを調整することができ、障害の度合い、筋力の強さなど個々に応じた適切な運動を行なうことができる。操作面においては、流動体１１をボトル９の一方から他方に移すに当って、振り上げ、振り下げさらには振り回しなどの運動を伴うことができる。これによって手首、肘、肩を含めた上肢の運動を総合的に行なうことができる。【００２３】  また上記において、流動体１１が移動するとき、材質特有の音が発生する。このため、聴覚を通して脳を刺激することができ、障害者などがリズム感をもって楽しく機能回復、筋力増強の運動をすることができる。【００２４】  また、彩色の豊かな運動器具であるので、視覚を通して脳に強い刺激を与えることができる。このため高齢者、機能障害者の興味が高まり、運動を積極的に行なうようになり、長期に亘って飽きることなく機能回復、筋力増強に使用することができる。【００２５】  なお、一実施例の構成では、コラム２に凹面座３を揺動体４に凸面座５を設けたが、配設関係を逆にしてコラム２側に凸面座を、揺動体４側に凹面座を設けるようにしても良いことは勿論である。【００２６】  また本考案の運動器具は、障害者などの機能回復、筋力増強だけでなく一般成人、子供のリクレーション用、ダイエット運動用に供することができるものであり、請求項の記載の運動器具はこれを含むものとする。
【符号の説明】
【００２７】１      ベース
２      コラム
３      凹面座
４      揺動体
５      凸面座
Ａ      揺動支持機構
６      操作ハンドル
７      ブロック
８      貫通穴
９      透明ボトル
１０    細径部
Ｂ      容器
１１    流動体
【図１】
0003208534.tif 000003
【図２】
0003208534.tif 000004